(57)【要約】【課題】識別シールを傷付かないように剥がして貼り戻すという手口の不正行為を効率的に防止することができる上、上下カバーを基板に被覆させる際に識別シールを不用意に破断させてしまう事態が起こらない遊技機用制御装置を提供する。【解決手段】パチンコ機の制御装置２０においては、上カバー（表側ケース部材３１、かしめカバー部材４２）および下カバー（裏側ケース部材３１、ベース部材４１）によってメイン制御基板２１が覆われており、ＲＯＭ１０の固有識別情報を表示した識別シール５６が、ベース部材４１と表側ケース部材３２とに跨がるように貼着されている。そして、かしめカバー部材４２の内側には、上下のカバーが開放された場合に、識別シール５６を破断するための破断アームと、破断アームを識別シール５６を破断不能な待機状態で保持するストッパとを有するシール破断部材１２が取り付けられている。【選択図】図２
2015039552.tif 000002
【特許請求の範囲】
【請求項１】
制御素子を設置した基板が、透明な合成樹脂によって形成された上下一対のカバーによって覆われており、上側のカバーの端縁に切断可能な複数のネジ保持部が設けられており、それらのネジ保持部の内の少なくとも１つが、ワンウェイタイプのネジによって下側のカバーに螺着される遊技機用制御装置であって、
制御素子の固有識別情報を表示した識別シールと、
上下のカバーが開放された場合に、その識別シールを破断するための破断手段と、
その破断手段を識別シールを破断不能な待機状態で保持するストッパとが、上下のカバーの内部に設置されていることを特徴とする遊技機用制御装置。
【請求項２】
破断手段が板バネであり、識別シールが紙製のものであるとともに、
上下のカバーが開放された場合に、破断手段が、側縁で識別シールを破断することを特徴とする請求項１に記載の遊技機用制御装置。
技機用制御装置。
【請求項３】
待機状態の破断手段を、識別シールが破断可能な作動状態に切り替える解除手段が、上下のカバー内に設けられており、
上下のカバーを組み付けが完了すると、解除手段によって、破断手段が作動状態にセットされることを特徴とする請求項１、または請求項２に記載の遊技機用制御装置。
【発明の詳細な説明】
【技術分野】
【０００１】
本発明は、パチンコ機、スロットマシーン等の遊技機に設置される制御装置に関するものである。
【背景技術】
【０００２】
従来、パチンコ機やスロットマシン等の遊技機には、所謂「大当たり抽選」等の遊技に係る制御を実行する制御装置が内蔵されている。そのような制御装置の中には、制御基板を収容する収容ケースの上カバー（カバー部材）と下カバー（ベース部材）とをワンウェイタイプのネジ等により一体化するとともに、当該ワンウェイタイプのネジによる螺着部分を工具を用いて切断しなければ収容ケースを開放できないように構成し、制御基板に対する不正行為（たとえば、改造されたＲＯＭへの差し替え等）の防止機能を高めたものが知られている。また、制御装置の中には、収容ケースを内ケースと外ケースとの二重構造にするとともに、所定の識別情報（個別情報）を表示した封印シール（証紙）である識別シールを、内ケースに貼着し、識別シールを破断しなければ内ケースを開放できないようにする一方、識別シールの識別情報を収容ケースの外側から携帯端末等にてチェックすることによって制御基板に対する不正行為を早期に発見可能としたものがある。
【０００３】
さらに、収納ケースに識別シールを貼着した制御装置の中には、溶剤等を使って識別シールを無傷の状態で剥がし、収納ケースを開放して制御基板を不正なものに交換した後、収納ケースを閉じて識別シールを元に戻す、という不正行為を防止するために、識別シールを覆うカバー部材とシール破断手段とを設けて、カバー部材を開放するとシール破断手段によって識別シールが破れるように構成したものもある（特許文献１）。
【先行技術文献】
【特許文献】
【０００４】
【特許文献１】特許公開２０１１−２４４９６３
【発明の概要】
【発明が解決しようとする課題】
【０００５】
しかしながら、上記の如く収容ケース内にシール破断手段を設けた制御装置においては、収容ケースを基板に被覆させる際等に、シール破断手段によって識別シールを不用意に破断させてしまう虞れがあった。
【０００６】
本発明の目的は、上記従来の遊技機用の制御装置が有する問題点を解消し、識別シールを傷付かないように剥がして貼り戻すという手口の不正行為を効率的に防止することができる上、上下カバーを基板に被覆させる際等に識別シールを不用意に破断させてしまう事態が起こらない遊技機用制御装置を提供することにある。
【課題を解決するための手段】
【０００７】
かかる本発明のうち、請求項１に記載された発明は、制御素子を設置した基板が、透明な合成樹脂によって形成された上下一対のカバーによって覆われており、上側のカバーの端縁に切断可能な複数のネジ保持部が設けられており、それらのネジ保持部の内の少なくとも１つが、ワンウェイタイプのネジによって下側のカバーに螺着される遊技機用制御装置（以下、単に制御装置という）であって、制御素子の固有識別情報を表示した識別シール（封印シール）と、上下のカバーが開放された場合に、その識別シールを破断するための破断手段と、その破断手段を識別シールを破断不能な待機状態で保持するストッパとが、上下のカバーの内部に設置されていることを特徴とするものである。
【０００８】
請求項２に記載された発明は、請求項１に記載された発明において、破断手段が板バネであり、識別シールが紙製のものであるとともに、上下のカバーが開放された場合に、破断手段が、側縁で識別シールを破断することを特徴とするものである。
【０００９】
請求項３に記載された発明は、請求項１、または請求項２に記載された発明において、待機状態の破断手段を、識別シールが破断可能な作動状態に切り替える解除手段が、上下のカバー内に設けられており、その解除手段によって、上下のカバーを組み付けが完了すると、破断手段が作動状態にセットされることを特徴とするものである。
【発明の効果】
【００１０】
請求項１の制御装置は、破断手段がストッパによって待機状態（識別シールを破断不能な状態）に切り替え可能に設けられているので、破断手段を待機状態にして上下カバーを基板に被覆させた後に破断手段の待機状態を解除すれば、識別シールを傷付けることなく上下カバーを基板に被覆させ、被覆させた後には、上下カバーを取り外すと識別シールが破断手段によって破断するようにセットすることが可能となる。したがって、請求項１の遊技機用制御装置によれば、識別シールを傷付かないように剥がして貼り戻すという手口の不正行為を効率的に防止することができる上、上下カバーを基板に被覆させる際に識別シールを不用意に破断させてしまう事態を生じさせない。
【００１１】
請求項２の制御装置は、上下カバーが開放された際に、板バネである破断手段が紙製の識別シールを側縁で破断する機構を有しているので、上下カバーが開放された際に、識別シールを確実に破断させるため、識別シールを傷付かないように剥がして貼り戻すという手口の不正行為をより効率的に防止することが可能となる。
【００１２】
請求項３の制御装置は、解除手段によって、上下のカバーを組み付けが完了すると、破断手段が識別シールを破断可能な状態で自動的にセットされるため、上下カバーを組み付けた後に、破断手段の待機状態の解除をし忘れる、という事態を防止することができる。
【図面の簡単な説明】
【００１３】
【図１】パチンコ機の背面を示す説明図である。
【図２】制御装置を示す説明図（正面図）である。
【図３】制御装置を示す説明図（斜視図）である。
【図４】制御装置を分解して示す説明図（斜視図）である。
【図５】分解した内カバー（およびメイン制御基板）を拡大して示す説明図（斜視図）である。
【図６】ベース部材を示す説明図（斜視図）である。
【図７】制御装置の上部の鉛直断面図（図２におけるＡ−Ａ線断面図）である。
【図８】制御装置の上部の鉛直断面図（図２におけるＢ−Ｂ線断面図）である。
【図９】シール破断部材を示す説明図である（ａは正面図であり、ｂは底面図であり、ｃは右側面図であり、ｄは斜視図である）。
【図１０】内カバー（およびメイン制御基板）を組み付けた状態を示す説明図（斜視図）である。
【図１１】内カバーの外側に識別シールを貼付した状態を示す説明図（斜視図）である。
【図１２】シール破断部材の破断アームを待機状態にセットした様子を示す説明図である（ａは底面図であり、ｂは斜視図である）。
【図１３】シール破断部材の破断アームを待機状態から作動状態に切り換える様子を示す説明図（斜視図）である。
【図１４】シール破断部材の破断アームを待機状態から作動状態に切り換える様子を示す説明図（右側面図）である。
【発明を実施するための形態】
【００１４】
以下、本発明に係る制御装置の一実施形態（パチンコ機へ設置した一実施形態）について、図面に基づいて詳細に説明する。
【００１５】
（１）制御装置の構造
図１は、制御装置を設置したパチンコ機の裏面を示したものである。パチンコ機１の裏側に付設された機構板２の中央よりやや下側には、パチンコ機１の遊技内容を制御ずるための制御装置２０が取り付けられており、当該制御装置２０の外側は、透明な合成樹脂製の裏カバー７で覆われた状態になっている。
【００１６】
図２は、制御装置２０の正面、鉛直断面を示したものであり、図３は、制御装置２０を斜め上方から見た状態を示したものである。また、図４は、制御装置２０を分解した状態を示したものである。なお、制御装置２０は、正面をパチンコ機１の後方に向けた状態で、機構板２に設置されており、以下の説明における“左右上下”は、特に断り書きがない限り、制御装置２０の正面側（かしめカバー部材側）から見た場合の“左右上下”を言うものとする。制御装置２０は、メイン制御基板２１、メイン制御基板２１を収容可能な裏側ケース部材３１および表側ケース部材３２からなる内カバー２２、当該内カバー２２を収容可能なベース部材４１およびカバー部材４２からなる外カバー２３、破断手段である破断アーム２６を備えたシール切断部材１２、不正防止用ビス４４，４４およびそれらのキャップ１１，１１・・等によって構成されている。なお、制御装置２０においては、表側ケース部材３２およびかしめカバー部材４２が上カバーとして機能し、裏側ケース部材３１およびベース部材４１が下カバーとして機能する。また、それらの表側ケース部材３２、かしめカバー部材４２、裏側ケース部材３１およびベース部材４１は、いずれも透明な合成樹脂によって形成されている。
【００１７】
図５は、内カバー２２およびメイン制御基板２１を示したものであり、内カバー２２は、メイン制御基板２１の裏面を覆う裏側ケース部材３１と、メイン制御基板２１の表面を覆う表側ケース部材３２とを組み付けてなるもので、両ケース部材３１，３２を組み付けることで形成される内部空間にメイン制御基板２１を収容可能となっている。裏側ケース部材３１は、ポリカーボネートにより成形されており、外力が加わっても割れにくいようになっている。また、表側ケース部材３２は、ＡＳ樹脂により成形されており、内カバー２２を強引にこじ開けようとした場合等にドライバー等の先端によって表面に傷がつき易く、不正行為の痕跡が残り易いようになっている。
【００１８】
メイン制御基板２１は、パチンコ機１の遊技内容に係る制御を実行するものであり、表面には、ＲＯＭ１０，ＣＰＵやＲＡＭ（図示せず）等の種々の制御素子が設置されている。また、メイン制御基板２１の表面下部には、メイン制御基板２１を他の電子部材と接続するためのコネクタ２５，２５が設けられている。さらに、メイン制御基板２１の左右側縁部には、内カバー２２内にネジ止めするためのネジ孔２１ａ，２１ａ・・が設けられている。そして、当該メイン制御基板２１は、表面を外側へ向けてコネクタ２５，２５を下方に位置させた状態で、内カバー２２内に収容され固定されている。
【００１９】
一方、表側ケース部材３２は、略中央に外方へ膨出する膨出部を有し、後方側（メイン制御基板２１と対峙した側）を開口させた箱状体である。また、表側ケース部材３２の下部には、メイン制御基板２１のコネクタ２５，２５を露出させるためのコネクタ窓３３，３３・・が開設されている。また、表側ケース部材３２の下部の左右両端には、係止凹部３４，３４が設けられている。さらに、表側ケース部材３２の上部の左右両端には、ベース部材４１へネジ止めするためのネジ孔を穿設した固定片３５，３５が突設されている。加えて、表側ケース部材３２の上端縁には、一対の鍔片３６ａ，３６ｂが上方へ突設されており、表側ケース部材３２の左右側縁には、一対の押止片３７，３７が外方へ突出するように設けられている。そして、左側の鍔片３６ａには、上下方向に沿って凹状溝５９が設けられており、その凹状溝５９と隣接した外側には、後述するように解除手段として機能する平板状の押止プレート６０が鍔片３６ａの板面に対して直交するように設けられている。なお、左側の鍔片３６ａの左端縁際の部分は、平板状のベース板４０の板面に対して、下方から上方にかけて後向きになるように約５°傾斜した状態になっている。加えて、表側ケース部材３２の内面には、裏側ケース部材３１およびメイン制御基板２１をネジ止めするためのネジ受け部（図示せず）が設けられている。
【００２０】
また、裏側ケース部材３１は、表側ケース部材３２の開口と略同じ大きさに形成された板状体であり、表側ケース部材３２の開口内へ嵌め込むようにして組み付けることができるようになっている。当該裏側ケース部材３１の四隅には、表側ケース部材３２と一体化するためのネジ孔３８，３８・・が穿設されている。また、裏側ケース部材３１の下縁には、後方へ突出する凸条部３９が設けられており、表側ケース部材３２と一体化した後でコネクタ窓３３，３３・・周縁からの工具等の差し込み、メイン制御基板２１に設置された各種素子への干渉を防止している。
【００２１】
一方、図４等の如く、外カバー２３は、前方に開口を有するベース部材４１と、当該ベース部材４１の開口を覆うように組み付けられるかしめカバー部材４２とからなるもので、両部材４１，４２を組み付けることで形成される内部空間に内カバー２２を収容可能となっている。ベース部材４１は、ポリカーボネートにより成形されており、外力が加わった際に割れにくく、かつ、不正防止用ビス４４が食い込み易いようになっている。また、かしめカバー部材４２は、ゴム等の樹脂が添加したアクリル樹脂により成形されており、後ケース３２同様、外カバー２３を強引にこじ開けようとした場合等にドライバー等の先端によって表面に傷がつき易く、不正行為の痕跡が残り易いようにしている。
【００２２】
かしめカバー部材４２は、図２〜図４に示すように、平板状のベース板１４の上下左右をベース板１４と直交するように後方に折り曲げた形状を有しており、後方を開口した箱状になっている。そして、上端の上側折返し板１６に設けられた３つの凹状部１７，１７・・の裏側には、嵌入突起１７，１７・・が設けられている（図２参照）。また、かしめカバー部材４２の左側の凹状部１７と中央の凹状部１７との間には、一定幅の帯状部９ａに矩形部９ｂを連設した形状を有する視認窓９が、ベース板１４の板面より前方（図３では下方）に位置するように設けられている。
【００２３】
また、かしめカバー部材４２の左右には、六角形状の挿通孔を有するビス挿通部５３ａ，５３ａが設けられており、ワンウェイタイプのねじ（締着する方向へのみ回転可能な木ねじ）である不正防止用ビス４４を挿通可能になっている（なお、本実施形態においては、ビス部材６１と芯部材６２とからなる不正防止用ビス４４を用いている）。それらのビス挿通部５３ａ，５３ａは、ネジ保持部として機能するものであり、ベース部材４１のビス受け部４９に対応して上下に２つ連設されている。各ビス挿通部５３ａ，５３ａは、ニッパ等により切断可能な切断リブ５４，５４・・を介してベース板１４等と連結されており、切断リブ５４，５４・・（図２参照）を切断することによって、かしめカバー部材４２の本体から切り離すことができる。加えて、左右のビス挿通部５３ａ，５３ａの設置部分の下側には、立方体状の嵌合突起５３ｄ，５３ｄが左右に突出するように設けられている。
【００２４】
一方、図６は、ベース部材４１を示したものであり、ベース部材４１は、前板の上下左右縁に沿って上機能部４５、側機能部４６，４６、および下壁部４７をそれぞれ後方へ立設してなるもので、当該上機能部４５、左右の両側機能部４６，４６、および下壁部４７に囲まれた空間４１ａ内に内カバー２２を収容することができるようになっている。また、上機能部４５には、一対のビス収納部４８，４８が凹設されており、各ビス収納部４８，４８には、ベース部材４１とかしめカバー部材４２とを組み付けるための予備の不正防止用ビス４４が収納可能となっている。
【００２５】
また、上機能部４５の中央および左右両端部には、上面に開口した嵌入凹部４５ａ，４５ａ・・が設けられている。一方、各側機能部４６には、４つの支持リブにより円筒部を支持してなる２つのビス受け部４９，４９が上下方向に連設されている。各ビス受け部４９，４９の円筒部は、固着前の不正防止用ビス４４を挿通可能な径とされており、該円筒部の後方は、前板（被覆部）によって被覆状態とされている。また、ビス受け部４９，４９の下方には、下側のビス受け部４９と下壁部４７とを連結するように補強部５０が設けられており、当該補強部５０の左右方向内側には、矩形板状の係止片４３，４３が一体的に形成されている。さらに、空間４１ａの上部位置には、内カバー２２を収容状態でネジ止めするためのネジ止め部５１，５１が設けられている。加えて、片側のネジ止め部５１の外側には、制御装置２０を機構板２の後面側に設置する際に使用する取付部材８０が設置されている。なお、ビス収納部４８内には、不正防止用ビス４４の軸部を挟持する一対の挟持リブ４８ａが設けられている。また、各補強部５０の前方と前板との間には空間が形成されており、かしめカバー部材４２の嵌合突起５３ｄを嵌合可能になっている。
【００２６】
（４）本発明の特徴部分の説明
＜シール切断部材の構造＞
図２の如く、かしめカバー部材４２の左上部には、破断アーム２６（破断手段）を有するシール切断部材１２を固着させるための３つの爪５２ａ〜５２ｃが一体的に設けられている。図７、図８は、制御装置２０の鉛直断面（図２におけるＡ−Ａ線断面、Ｂ−Ｂ線断面）を示したものであり、３つの爪５２ａ〜５２ｃは、鉛直断面がＬ字状になっており、ベース板１５よりも前側において、上向きに突出した状態になっている。シール切断部材１２は、それらの爪５２ａ〜５２ｃに片端縁（下側の端縁）を係止させた状態で、かしめカバー部材４２に固着されている。
【００２７】
図９は、シール切断部材１２を拡大して示したものであり、シール切断部材１２は、金属板を裁断して折り曲げ加工することによって形成されている。そして、略矩形（長方形状）のベース部１３には、２つのリブ挿通孔１４，１４が穿設されている。また、ベース部１３の片方の短辺には、一定幅の帯状の切断アーム２６が連設されている。切断アーム２６は、ベース部１３に対して、略３０°の角度を成すように折り曲げ形成されており基端の部分が略半円弧状に屈曲した状態になっている。そして、先端には、切断突起２７が、他の部分に対して直交するように設けられている。当該シール切断部材１２は、破断アーム２６の部分が板バネとして機能する。
【００２８】
さらに、ベース部１３の片方の長辺（上側の長辺）には、小型係止突片２８、係止体５、大型係止突片２９が、ベース部１３と直交して前方へ突出するように設けられている。なお、小型係止突片２８と係止体５との間、係止体５と大型係止突片２９との間には、一定幅のスリット４ａ，４ｂが設けられており、それらのスリット４ａ，４ｂの基端がベース部１３まで至っている。また、小型係止突片２８および大型係止突片２９の先端部は、基端部と直交するように外向きに折り曲げ形成されており、ベース部１３と平行な当接面を形成した状態になっている。そして、小型係止突片２８の当接面には、１つのネジ孔が穿設されており、大型係止突片２９の当接面１には、２つのネジ孔が穿設されている。
【００２９】
また、係止体５の左端際の部分は、他の部分よりも前方側へ突出した状態になっている。当該突出部６４の先端は、基端と直交するように内向きに折り曲げ形成されており、ベース板１３と平行な矩形の平板状の作用片７を形成した状態になっている。また、係止体５の右端際の部分には、矩形の板状のストッパ８が、係止体５の板面と直交して前方へ突出するように設けられており、作用片７より若干後方の位置でベース板１３と平行に配置されている。
【００３０】
一方、図７の如く、かしめカバー部材４２の左側上部の内面には、ネジ孔を穿設した円柱状の３つのボス５７，５７・・と、それらのボス５７，５７・・に比べて小径な円柱状の２つの位置決めリブ５８，５８が突設されている。そして、上記したシール切断部材１２は、ベース部１３の片側（下側）の長辺際を、かしめカバー部材４２の３つの爪５２ａ〜５２ｃに係合させる一方、ベース部１３のリブ挿通孔１４，１４に位置決めリブ５８，５８を挿通させ、ベース部１３の外面をかしめカバー部材４２の内面に当接させるとともに、小型係止突片２８当接面および大型係止突片２９の当接面を、それぞれ、ボス５７，５７・・の先端面に当接させた状態で、ネジ孔の穿設部分をボルト（図示せず）によってボス５７，５７・・のネジ孔に螺着することによって、かしめカバー部材４２に固着されている。
【００３１】
＜解除手段の構造＞
一方、上述したように、表側ケース部材３２の鍔片３６ａの中央には、凹状溝５９が上下方向に沿って一定幅の直線状に設けられている（図５、図８、図１０、図１１参照）。また、その凹状溝５９と隣接した外側には、解除手段として機能する一定の厚みの矩形板状の押止プレート６０が、板面を表側ケース部材３２のベース板４０と直交させた状態で鉛直に（表側ケース部材３２の膨出部６３の上端面（水平面６３）と直交するように）設けられている。
【００３２】
＜制御装置の組付方法＞
以下、上記の如く構成された内カバー２２および外カバー２３の組み立てについて説明する。まず、内カバー２２の組み付けに際しては、裏側ケース部材３１を、その前方にメイン制御基板２１を介在させた状態で、後方からネジ２４、２４・・により表側ケース部材３２へネジ止めする（図５等参照）。その際に、メイン制御基板２１も、同ネジ２４、２４・・により、内カバー２２内部において表側ケース部材３２へネジ止めされる。そのように組み付けられると、裏側ケース部材３１が、表側ケース部材３２の開口内へ嵌め込まれた状態となり、強引にこじ開けようとしてもメイン制御基板２１の表面（素子設置面）が露出しにくくなる。
【００３３】
次に、上記の如く組み立てた内カバー２２をベース部材４１に組み付ける。当該組み付けに際しては、予備の不正防止用ビス４４，４４をベース部材４１のビス収納部４８へ収納した後、空間４１ａ内へ内カバー２２を嵌め込み、ネジ５５，５５により固定片３５をネジ止め部５１にネジ止めする。図１０は、内カバー２２を組み付けたベース部材４１を斜め上方から見た状態を示したものであり、上記の如く組み付けると、内カバー２２の鍔片３６ａ，３６ｂが左右のビス収納部４８の開口を覆った状態となり、内カバー２２の下部では、係止凹部３４に係止片４３が係止した状態となる。また、内カバー２２の後面は、ベース部材４１の内面に当接した状態となる。
【００３４】
しかる後、図１１の如く、固有のＩＤを記憶したＩＣタグを有する識別シール（封印シール）５６を、内カバー２２の鍔片３６ａの前面とベース部材４１の上機能部４５の上面（左側の部分）とに跨るように貼着する。このとき、ＩＣタグ（すなわち、ＩＤを記憶したチップおよび外部端末との間で無線通信を行うためのアンテナ部を含むもの）をベース部材４１の上面側に位置させるように識別シール５６を貼着し、かしめカバー部材４２を介して外部端末を近接させた際にＩＤを読み取り可能とする。また、識別シール５６の鍔片３６ａ側の表面には、ＩＤとは異なる別の識別番号が記載されており、目視で識別番号の確認を可能としている。さらに、同表面には、シールの剥離に使用するような溶液等が付着すると化学反応によって変色する反応部（残痕部）が設けられおり、識別シール５６の不正剥離を防止している。
【００３５】
上記の如くベース部材４１に内カバー２２を組み付け、識別シール５６を貼着した後には、ベース部材４１（表側ケース部材３２および裏側ケース部材３１と一体になったもの）とかしめカバー部材４２とを、不正防止用ビス４４，４４を用いて結合させることによって、内カバー２２の外周に外カバー２３を被覆させる。ベース部材４１とかしめカバー部材４２とを結合させる際には、まず、かしめカバー部材４２に装着されているシール切断部材１２の切断アーム２６を待機状態にセットする。図１２は、破断アーム２６を待機状態にしたシール切断部材１２を示したものであり、破断アーム２６を待機状態にするには、切断アーム２６の先端部分を、その付勢力（板バネの復元力）に抗して、ベース部１３に近づける。そして、そのようにベース部１３に近づけた切断アーム２６の片端縁（上側の端縁）の先端際の部分を、一旦、外側（下側）に少しだけ（ストッパ８の下側への突出長さだけ）ずらせて（移動させて）から反対側にずらすことによって、ストッパ８に係止させる。
【００３６】
そして、上記の如くシール切断部材１２の破断アーム２６を待機状態にセットした後には、かしめカバー部材４２を、ベース部材４１（表側ケース部材３２）の上方から下方へスライドさせ（かしめカバー部材４２の上側折返し板１６を表側ケース部材３２の水平面６３（膨出部の上端面）に近づけるようにスライドさせ）、上側折返し板１６の裏面に突設された３つの嵌入突起１８，１８・・を、各嵌入凹部４５ａ，４５ａ・・内へ嵌入させるとともに、嵌合突起５３ｄ，５３ｄを補強部５０の前方へ嵌合させる。そのように、かしめカバー部材４２をベース部材４１の上方から下方へスライドさせると、表側ケース部材３２に設けられた解除手段である押止プレート６０が、シール切断部材１２の破断アーム２６の待機状態を解除する。
【００３７】
図１３、図１４は、押止プレート６０が破断アーム２６の待機状態を解除する様子を示したものである（なお、図１３、図１４においては、かしめカバー部材４２の記載が省略されている）。かしめカバー部材４２を上方から下方へスライドさせて、かしめカバー部材４２の上側折返し板１６を表側ケース部材３２の水平面６３に近づけると、押止プレート６０がシール切断部材１２の作用片７に押し当てられ、シール切断部材１２の係合体５が、弾性に抗して、次第に上側（図１３では外側）に屈曲する（押し拡げられる）。そして、かしめカバー部材４２の上方から下方へのスライドが完了すると（かしめカバー部材４２がベース部材４１と組付け可能な位置までスライドすると）、シール切断部材１２の係合体５が、待機状態における切断アーム２６とストッパ８との重なり幅だけ押し拡げられて（図１４（ｂ）参照）、切断アーム２６のストッパ８への係止状態が解除され、切断アーム２６が弾性によって元の状態（ベース部１３と所定の角度を成した状態）に復元すべく先端側を押し拡げる（Ｖ字状になる）。そして、切断アーム６０の先端の切断突起２７が、表側ケース部材３２の鍔片３６ａの凹状溝５９に嵌まり込む（以下、この状態を作動状態という）。
【００３８】
さらに、上記の如く、かしめカバー部材４２の上方から下方へのスライドが完了すると、上側折返し板１６の嵌入突起１８，１８・・の各嵌入凹部４５ａ，４５ａ・・内への嵌入、および、嵌合突起５３ｄ、５３ｄの補強部５０の前方へ嵌合も完了し、かしめカバー部材４２がベース部材４１に対してネジ止め可能な状態となる。そのように、かしめカバー部材４２のスライドを完了させた後には、左右のビス挿通部５３ａ，５３ａのうちそれぞれ下側のビス挿通部５３ａ，５３ａへ、不正防止用ビス４４を前方（かしめカバー部材４２側）から挿入し、不正防止用ビス４４の先端をベース部材４１のビス受け部４９に係止および食い込ませて、ベース部材４１とかしめカバー部材４２とを一体化することによって、外カバー２３の組み付けを完了する。
【００３９】
上記の如く組み付けられた状態においては、メイン制御基板２１が、内カバー２２および外カバー２３により二重に覆われ、コネクタ２５，２５・・のみがコネクタ窓３３，３３・・から露出した状態となる。また、かしめカバー部材４２の裏面に設けられた各種のリブ（図示せず）が、表側ケース部材３２の鍔片３６ａ，３６ｂ、押止片３７，３７、固定片３５や表面に当接しており、かしめカバー部材４２を取り外さない限り、内カバー２２を開放したり、固定片３５をネジ止めしているネジ５５を取り外したり、ビス収納部４８から予備の不正防止用ビス４４を取り出したり、識別シール５６を剥離したりできないようになる。また、かしめカバー部材４２の上側折返し板１６によりベース部材４１の上機能部４５の上面も被覆され、識別シール５６のＩＣタグを有する側の面に容易に触れることができないようになる。
【００４０】
さらに、図１３（ｂ）および図１４（ｂ）の如く、シール切断部材１２の切断アーム２６が作動状態になると、表側ケース部材３２の鍔片３６ａに貼着された識別シール５６の内側の端縁際の外側に、当該切断アーム２６が配置され、識別シール５６の内側の端縁と切断アーム２６の外側の端縁とが交差した状態となる。したがって、かしめカバー部材４２を表側ケース部材３２に対してスライドさせると（かしめカバー部材４２の上側折返し板１６と表側ケース部材３２の水平面６３とが離れるようにスライドさせると）、識別シール５６が切断アーム２６によって切断される（破断する）。なお、切断アーム２６は、先端がベース部１３から離れるように付勢されているので、かしめカバー部材４２をベース部材（表側ケース部材３２）に対してスライドさせた場合には、切断突起２７を表側ケース部材３２の鍔片３６ａの凹状溝５９に嵌合させた状態で識別シール５６と交差し続けるため、識別シール５６は切断アーム２６によって確実に切断される。
【００４１】
上記の如く組み付けられた制御装置２０は、取付部材８０，８０等（図４参照）によって、機構板２の後面側に取り付けられる。そして、メイン制御基板２１の検査（たとえば、ＲＯＭ１１のチェック）等のため、再び開放する際には、不正防止用ビス４４により固着状態にあるビス挿通部５３ａの周縁の切断リブ５４，５４・・をニッパ等によって切断する。そのように切断すると、ビス挿通部５３ａとかしめカバー部材４２とが切り離され、ビス挿通部５３ａをベース部材４１側へ残したまま、かしめカバー部材４２をベース部材４１から取り外すことが可能となる。そのため、上記した組み付け手順とは逆の順序でネジ５５，５５を取り外すとともに、破断した識別シール５６を剥離して、内カバー２２をベース部材４１から取り出し、ネジ２４，２４・・を外すことにより、メイン制御基板２１の検査を行うことが可能となる。
【００４２】
さらに、再び組み付ける際には、新たに識別シール５６を貼着し、シール切断部材１２の破断アーム２６を待機状態に戻した後に、上記した手順と略同様の手順により、内カバー２２（およびメイン制御基板２１）を組み付け、外カバー２３を被覆させてから、当初ビス収納部４８，４８へ収納していた予備の不正防止用ビス４４，４４を、当初使用しなかった上側のビス挿通部５３ａ，５３ａへ挿入し、それらの不正防止用ビス４４の先端をベース部材４１のビス受け部４９に係止および食い込ませれば良い。
【００４３】
（５）制御装置の効果
制御装置２０は、上記の如く、メイン制御基板２１が、ベース部材４１とかしめカバー部材４２とを組み付けてなる外カバー２３の内部に収容された内カバー２２内に収容されているため、メイン制御基板２１に対して不正行為を働くためには、内カバー２１と外カバー２３との両方をこじ開けたり、穴を空けたりする必要があるため、メイン制御基板２１に対して不正行為を働くことがきわめて困難であり、優れた防犯性を発揮することができる。また、内カバー２２と外カバー２３とに跨るように、固有の識別シール５６が貼着されているため、メイン制御基板２１に対して不正行為を働くためには、識別シール５６の剥離をも行わなければならないので、防犯性が一段と高いものとなっている。
【００４４】
上記した効果に加えて、制御装置２０は、制御素子の固有識別情報を表示した識別シール５６と、上下のカバーが開放された場合に、その識別シール５６を破断するためのシー破断アーム２６、および、当該破断アーム２６を識別シール５６が破断できない待機状態で保持するストッパ８を有するシール破断部材１２とが、上下のカバーの内部に設置されている。それゆえ、破断アーム２６を待機状態にして上下カバーをメイン制御基板２１に被覆させた後に破断アーム２６の待機状態を解除すれば、識別シール５６を傷付けることなく上下カバーをメイン制御基板２１に被覆させ、被覆させた後には、上下カバーを取り外すと識別シール５６が破断アーム２６によって破断するようにセットすることができる。したがって、制御装置２０によれば、識別シール５６を傷付かないように剥がして貼り戻すという手口の不正行為を効率的に防止することができる上、上下カバーのメイン制御基板２１への被覆時に識別シール５６を不用意に破断させてしまう事態を防止することができる。
【００４５】
さらに、制御装置２０は、破断アーム２６が板バネであり、識別シール５６が紙製のものであるとともに、上下のカバーが開放された場合に、破断アーム２６が、側縁で識別シール５６を破断するので、上下カバーが開放された際には、識別シール５６を確実に破断させるため、識別シール５６を傷付かないように剥がして貼り戻すという手口の不正行為をより効率的に防止することができる。
【００４６】
加えて、制御装置２０は、待機状態の破断アーム２６を、識別シール５６が破断可能な作動状態に切り替える解除手段である押止プレート６０が、上下のカバー内（表側ケース部材３２）に設けられており、その押止プレート６０によって、上下のカバーの組み付けが完了すると、シール破断部材１２が作動状態に（自動的に）セットされるため、上下カバーを組み付けた後に、破断アーム２６の待機状態の解除をし忘れる、という事態の発生を効果的に防止することができる。
【００４７】
加えて、上述したような制御装置２０をパチンコ機１に設置することで、ＲＯＭ１０等が不正に取り替えられたりするおそれがなく、遊技者が安心して遊技可能なパチンコ機１を提供することができる。
【００４８】
（６）制御装置の変更例
なお、本発明の制御装置は、上記実施形態の態様に何ら限定されるものではなく、基板、上カバー（表側ケース部材、かしめカバー部材）、下カバー（裏側ケース部材、ベース部材）、シール破断部材、破断手段（破断アーム）、解除手段（押止プレート）、不正防止用ビス、識別シール、ネジ保持部等の形状、構造、あるいは取付位置、取付方法等の構成を本発明の趣旨を逸脱しない範囲内で適宜変更することができる。
【００４９】
たとえば、本発明の制御装置は、上記実施形態の如く、１個の破断部材（破断手段）のみを設けたものに限定されず、２個以上の破断部材（破断手段）を設けたものでも良い。また、破断手段は、上記実施形態の如く、側縁で識別シールを裁断する板バネに限定されず、上下カバーが開放された際に、突起体により識別シールを突き刺す板バネやコイルバネ等でも良い。加えて、本発明の制御装置は、上記実施形態の如く、内カバー（表側ケース部材および裏側ケース部材）の略全体が外カバー（かしめカバー部材およびベース部材）によって覆われたものに限定されず、内カバーの一部のみ（たとえば、識別シール貼着部分の外周）が外カバーによって覆われたもの等に変更することも可能である。
【００５０】
加えて、上記実施形態においては制御装置がパチンコ機用のものである場合の一例について説明したが、本発明に係る制御装置は、スロットマシーンやテレビゲーム等のパチンコ機以外の遊技機用のものであっても良い。
【００５１】
なお、上記実施形態においては、本発明に係る制御装置の一例を示したにすぎず、特許請求の範囲、明細書、図面に記載されたすべての要素（たとえば、基板、上カバー（表側ケース部材、カバー部材）、下カバー（裏側ケース部材、ベース部材）、不正防止用ビス等）、識別シール、破断手段、解除手段、ネジ保持部等は、個数を意識的に限定する明確な記載がない限り、物理的に単一であっても複数であっても構わないし、適宜配置の変更が行われても構わない。また、それらの要素につけられた名称（要素名）は、単に本件の記載のために便宜上付与したにすぎないものであり、それによって特別な意味が生じることを特に意識したものではない。したがって、要素名のみによって要素が何であるかが限定解釈されるものではない。たとえば、「〜装置」は、ハード単体でも、ソフトを含んだものであっても構わない。さらに、上記したすべての要素のうちの複数の要素を適宜一体的に構成するか、もしくは一つの要素を複数の要素に分けて構成するかは、いずれも当業者であれば容易に考えられる事項である。したがって、その程度の範囲内での構成上の差異を有する制御装置を、上記実施形態に記載がなされていないことを理由に採用することのみでは、本発明に係る権利を回避したことにはならない（すなわち、本発明に係る制御装置の技術的範囲から外れるものとしたことにはならない）。その他、各要素の構成や形状等における、上記実施形態から当業者であれば容易に考えられる自明な範囲の差異についても同様である。
【産業上の利用可能性】
【００５２】
本発明の制御装置は、上記の如く、趣向性の高いものであるので、パチンコ機、スロットマシーン等の遊技機用の制御装置として好適に用いることができる。
【符号の説明】
【００５３】
１・・パチンコ機（遊技機）
７・・作用片
８・・ストッパ
１２・・シール切断部材
２６・・切断アーム（切断手段）
１０・・ＲＯＭ
２０・・制御装置
２１・・メイン制御基板
２２・・内カバー
２３・・外カバー
３１・・裏側ケース部材（下カバー）
３２・・表側ケース部材（上カバー）
４１・・ベース部材（下カバー）
４２・・かしめカバー部材（上カバー）
４４・・不正防止用ビス（ワンウェイタイプのネジ）
５３ａ・・ビス挿通部（ネジ保持部）
５６・・識別シール
６０・・押止プレート（解除手段）
【図１】
2015039552.tif 000003
【図２】
2015039552.tif 000004
【図３】
2015039552.tif 000005
【図４】
2015039552.tif 000006
【図５】
2015039552.tif 000007
【図６】
2015039552.tif 000008
【図７】
2015039552.tif 000009
【図８】
2015039552.tif 000010
【図９】
2015039552.tif 000011
【図１０】
2015039552.tif 000012
【図１１】
2015039552.tif 000013
【図１２】
2015039552.tif 000014
【図１３】
2015039552.tif 000015
【図１４】
2015039552.tif 000016